(57)【特許請求の範囲】
【請求項１】
２以上の容器を連通させるために使用する連通針において、当該連通針の先端部に注出口を開口させると共に、当該注出口を封止する封止部材を連通針と一体的に設け、当該封止部材が当該封止部材に設けた係止部材による外力により容易に連通針から脱離し、それにより連通針に注出口が開口されるように構成したことを特徴とする連通針。
【請求項２】
封止部材が一体的に設けられた連通針の先端部を少なくとも被覆する封止体を備え、封止体内部における連通針の動きにより封止部材が混注針より離脱し、離脱した封止部材が封止体内部に残留するように構成されたことを特徴とする請求項１に記載の連通針。
【請求項３】
被覆する封止体が弾性体であることを特徴とする請求項２に記載の連通針。
【請求項４】
弾性体が、ゴム、発泡ゴム、プラスチックまたは硬質プラスチックから選択されるものであることを特徴とする請求項３に記載の連通針。
【請求項５】
連通針が硬質プラスチックからなることを特徴とする請求項１ないし４のいずれかに記載の連通針。
【請求項６】
医療用容器の開口部に取り付けられる、内容薬剤混注用の針であることを特徴とする請求項１ないし５のいずれかに記載の連通針。
【請求項７】
連通針が取り付けられる医療用容器がプラスチック製フィルムからなる混注容器であって、可撓性輸液バッグへ連通して混注することを特徴とする請求項６に記載の連通針。
【請求項８】
医療用容器が１室もしくは２室以上の複室容器であることを特徴とする請求項６に記載の連通針。
【請求項９】
請求項１〜５のいずれかに記載の連通針を備えたことを特徴とする、可撓性バッグに溶着されるポート。
【請求項１０】
ポートの形状が、丸型ポート、菱型ポートまたは楕円平型ポートである請求項９に記載のポート。
【発明の詳細な説明】
【技術分野】
【０００１】
本発明は、２以上の容器を連通させ内容物を混注させるために使用する連通針に関し、さらに製剤バッグ、各種薬液製剤バッグ等の医療用バッグの製造における、当該連通針を備えたポートに関する。
【背景技術】
【０００２】
従来から、高カロリー輸液基本液に高張アミノ酸製剤を混注する際は、連結管あるいはシリンジによる混注操作が行われていた。また、バイアル瓶に封入された粉末状の抗生物質等を溶解して注射剤とする際には、注射用蒸留水、生理用食塩液等をシリンジで吸引し、バイアル瓶に注入し、溶解する混注操作が行われていた。【０００３】
さらには、点滴により人体に供給される輸液成分のうち、アミノ酸液あるいはブドウ糖液等は混合すると変質するため、剥離可能な隔離手段により仕切られた輸液バッグ内の複数の個室にそれぞれ収納され、使用時に輸液バッグを外部から押圧して隔離手段を剥離させ、混合する手段が採用されている。【０００４】
また、点滴により患者に輸液を投与する場合、患者の病態により、アミノ酸液、ブドウ糖液等の基本液に少量の各種薬剤、たとえばトレースミネラル（微量金属）、ビタミン類、鎮痛剤、鎮痛剤、脂肪輸液、抗生物質、ミネラル、強心剤等を混合することが必要となる。通常、基本液に少量の薬剤を混合する作業（混注）は、病院内のクリーンブースで行われ、混合すべき薬剤を、連通管、シリンジあるいは注射器を用いて輸液バッグ内の輸液へ注入する。この場合、薬液に細菌感染をおこさせないよう注意深く行われている。【０００５】
さらにまた、少量の各種薬剤を輸液に混合する場合、予め輸液に混合し投与するまで長時間置くことは好ましくないことが多い。例えば、ビタミンＢ１は、高カロリー基本液中のアミノ酸の酸化剤として用いられている亜硫酸塩によって分解が促進される。また少量の各種薬剤同士も混合によって汚濁が生じたり、分解が促進されたりするものがあり、各種薬剤の投与を、時間差をおいて行なうことが好ましいとされるものもある。輸液は通常１Ｌ程度であるため、細かい作業を行なうことは困難であり、一度に混注作業が可能な薬剤の数も限定されている。【０００６】
しかし、これらの混注および溶解操作においては、連結管、シリンジまたは注射器を用いて実施するために、作業が煩雑になるばかりでなく、連結管やシリンジの連結、各種溶液等への穿刺等数多くの操作を必要とし、その結果、作業中に雑菌の入る可能性も多い。さらにこれらの操作の終了後、シリンジなどの内部に薬剤が残留するので、薬剤損失も少ないものではない。【０００７】
かかる不都合を改良する方法として、これまで各種の混注用輸液バッグが提案されてきている。例えば、特許文献１には、可撓性輸液バッグ本体と、該バッグ本体の少なくとも１箇所に直接設けた瓶針と、該瓶針に設けた該バッグ本体内部との連通を可能とする流路と、該瓶針に該流路を介して設けた該瓶針と該バッグ本体内部との連通を阻止する封止部と、該流路に設けた破断により該瓶針と該バッグ本体内部との連通を可能とする破断部からなり、該封止部がバッグ本体内部に位置し、該破談部が該バッグ本体内縁部と該封止部との間に位置する混注用輸液バッグが開示されている。【０００８】
また、特許文献２には、可撓性樹脂フィルムより包囲されそれぞれ薬液を封入可能な第１室、第２室および１つの副室を備え、各第１室と第２室および副室の間にそれぞれ異なる圧力により剥離されるイージーピールシールを設け、投与時に第１室または第２室の薬液が副室および副室から伸張される注出口を介し薬液が混合される医療用輸液バッグが開示されている。
【特許文献１】特公平５−５２７４８号公報
【特許文献２】特開２０００−３１６９５１号公報
【０００９】
これらの特許文献に開示される医療用輸液バッグは、可撓性プラスチックバッグ本体を複数の輸液の封入室を設けた構造とし、投与時に外部圧力等により各室を連通させ、輸液を混合するものであり、したがって、医療用バッグに封入する薬剤等は必然的に限定され、応用性のあるものとはいい難い。そのため、普遍的に医療用輸液バッグに使用し得る、２以上の容器を連通させるために使用でき、容器内部に薬液の残留が生じない、また投与薬液中に破断部材が混在しない、簡便な連通針の開発が求められているのが現状である。
【発明の開示】
【発明が解決しようとする課題】
【００１０】
したがって本発明は、上記の現状を鑑み、医療用輸液バッグ等に装着され、２以上の容器を連通させるために使用する、簡便な連通針を提供することを課題とする。【００１１】
すなわち、従来は、複数の輸液セット等で使用される混注針（連通針）としては金属製の両頭針等が用時連通用として使用されているが、金属製のため医療用廃棄物の分別処理に問題があり、また、部品点数の多さ等種々問題点があったが、本発明は、かかる点を解消させた簡便な連通針を提供することを課題とする。
【課題を解決するための手段】
【００１２】
かかる課題を解決するべく、本発明者らは鋭意検討した結果、複数の容器を連通させる連通針として、当該連通針の先端部に薬液等の注出口を開口させると共に、当該注出口を予め封止する封止部材を連通針と一体的に設けてやり、当該封止部材を外力により容易に連通針から脱離させてやれば、それにより連通針に薬液の注出口が開口され、複数の容器内に収納される薬剤を、例えば基本液等により容易に溶解させることができることを見出し、本発明を完成させるに至った。【００１３】
すなわち、本発明は、その基本的なひとつの態様として、
（１）２以上の容器を連通させるために使用する連通針において、当該連通針の先端部に注出口を開口させると共に、当該注出口を封止する封止部材を連通針と一体的に設け、当該封止部材が外力により容易に連通針から脱離し、それにより連通針に注出口が開口されるように構成したことを特徴とする連通針；
である。【００１４】
より具体的には、本発明は、
（２）封止体で被覆されていることを特徴とする上記１に記載の連通針；
（３）封止部材が一体的に設けられた連通針の先端部を少なくとも被覆する封止体を備え、封止体内部における連通針の動きにより封止部材が混注針より離脱し、離脱した封止部材が封止体内部に残留するように構成されたことを特徴とする上記２に記載の連通針；
（４）封止体内部における連通針の動きが、被覆した封止体を貫通する動きである上記３に記載の連通針；
（５）封止体内部における連通針の動きが、封止体の回転による動きである上記３に記載の連通針；
（６）封止部材を挟持する縦溝を供えた封止体により連通針が被覆されており、該封止体を回転させることにより封止部材を離脱させることを特徴とする上記１に記載の連通針；
（７）被覆する封止体が弾性体であることを特徴とする上記２ないし６のいずれかに記載の連通針；
（８）弾性体が、ゴム、発泡ゴム、プラスチックまたは硬質プラスチックから選択されるものであることを特徴とする上記７に記載の連通針；
（９）連通針が硬質プラスチックからなることを特徴とする上記１ないし８のいずれかに記載の連通針；
である。【００１５】
さらに具体的な態様としての本発明は、
（１０）医療用容器の開口部に取り付けられる、内容薬剤混注用の針であることを特徴とする上記１ないし９のいずれかに記載の連通針；
（１１）連通針が取り付けられる医療用容器がプラスチック製フィルムからなる混注容器であって、可撓性輸液バッグへ連通して混注することを特徴とする上記１０に記載の連通針；
（１２）医療用容器が１室もしくは２室以上の複室容器であることを特徴とする上記１０に記載の連通針；
である。【００１６】
また本発明は、別の態様として、
（１３）上記の１〜９に記載の連通針を備えたことを特徴とする、可撓性バッグに溶着されるポート；
（１４）ポートの形状が、丸型ポート、菱型ポートまたは楕円平型ポートである上記１３に記載のポート；
でもある。
【発明の効果】
【００１７】
本発明により提供される２以上の容器を連通するために使用される連通針は、従来の輸液セットで使用されている混注用の金属製の両頭針と異なり、輸液混注の注入口を連通針に開口させると共に、当該注入口を封止する封止部材を連通針と一体的に形成させ、当該封止部材を外力により容易に連通針から脱離されることにより、２以上の容器が簡便に連通されることとなり、両頭針に比較してその部品点数がきわめて少ないものとなる。【００１８】
また、当該連通針を、注入口を封止する封止部材と共にゴム等の封止体で被覆させ、当該封止体内部で連通針を回転させるか、あるいは封止体を連通針自体により貫通させる動きによる外力で、容易に注入口を封止する封止部材が連通針より脱離し、脱離した封止部材は封止体内に残留する。したがって、容器内に異物としての破片が混入することがなく、きわめて安全に２容器の薬剤、薬液当を混注することができる利点を有している。【００１９】
さらに、連通針と封止体を一体化することで連通針外部と封止体内部の空間が密閉空間となり、予め、電子線またはガンマ線滅菌を行なうことにより、該部材の無菌状態を確立することができ、したがって、混注操作をする際の衛生性を容易に保つことができる利点を有している。【００２０】
また、連通針は、適度の硬度を有するプラスチックから構成されているため、金属製の両頭針と異なり、その廃棄に危険性がない利点を有する。更に、連通針の材質を選択することにより容器内に充填されたビタミン、その他の成分吸着を抑制する利点を有する。【００２１】
さらに本発明の連通針を備えた可撓性バッグに溶着されるポートは、あらゆる形状の可撓性バッグに溶着させることができるものであり、きわめて応用性の高いものである利点を有している。
【発明を実施するための最良の形態】
【００２２】
本発明が提供する、２以上の容器を連通させるために使用する連通針は、硬質プラスチック製であることが好ましい。そのような硬質プラスチックとしては、ＡＢＳ（アクリロニトリル−スチレン−ブタジエン共重合体）、ＰＰ（ポリプロピレン樹脂）、ＰＥ（ポリエチレン樹脂）、硬質ＰＶＣ（硬質塩化ビニル樹脂）、ＰＣ（ポリカーボネート樹脂）、ＣＯＰ（環状ポリオレフィン樹脂）等をあげることができ、成形性および破断特性の面からＰＶＣまたはＰＣが好ましく使用される。【００２３】
一方、本発明の連通針が取り付けられる医療用容器としては、プラスチック製フィルムからなるものであり、そのようなバッグを構成するプラスチック製フィルムは、チューブ状でもシート状でもよく、またフィルム自体が単層フィルムであっても、積層フィルムであってもよい。加熱、押圧により溶着しうる材質のものであれば特に制限されるものではない。そのようなフィルム素材として、低密度ポリエチレン、高密度ポリエチレン、ポリプロピレン、環状ポリオレフィンなどのポリオレフィン、ポリスチレン、アクリロニトリル・スチレン共重合体樹脂（ＡＳ樹脂）、アクリロニトリル・ブタジエン・スチレン共重合体樹脂（ＡＢＳ樹脂）、アクリル樹脂、塩化ビニル樹脂、ナイロンなどの熱可塑性樹脂を挙げることができる。そのなかでも、単層フィルムによる医療用バッグの製造に好ましく使用される。【００２４】
また、上記バッグに本発明の連通針を取り付けるには、連通針を備えたバッグに溶着されるポートとしてバッグ本体に溶着される。そのようなポートとしては、丸型ポート、菱型ポート、楕円平型ポート等の各種ポート、あるいは各種チューブをあげることができる。これらの各種ポートあるいはチューブも基本的には硬質プラスチックで構成されたものであり、所望の医療用バッグに溶融装着され、所望の機能を発揮するものから選択することができる。【００２５】
連通針を被覆する封止体は、フィルム状でもチューブ状でも成形品でもよく、特に限定されるものではない。また，材質についても限定されるものではないが、弾性体であることが好ましく、例えば、ブチルゴム、イソプレンゴム、天然ゴム等のゴム製のものから、スチレン系エラストマー、オレフィン系エラストマー、ポリエステル系エラストマー、ナイロン系エラストマー等の高分子エラストマーを用いてもよい。さらに、低密度ポリエチレン、高密度ポリエチレン、ポリプロピレン、環状ポリオレフィン等の熱可塑性樹脂を使用することも可能であり、これらを１種または２種以上組み合わせ使用することも可能である。【００２６】
また、連通針もしくは連通針付きバッグと封止体を一体化する場合は、熱溶着、超音波溶着等により固着されてもよく、嵌合により一体化されてもよい。これらを構成する材料についても、所望の機能を発揮するものから選択することができる。【００２７】
本発明が提供する連通針にあっては、当該連通針の太さ、長さ等は特に限定されない。通常の２以上の容器を連通させて、内容物を混注させるために使用する混注針として機能する連通針であればよい。その先端も、鋭角を有する鋭針を採用する必要はない。特に、最近では鋭針による医療事故をなくすために先が鈍角となった鈍針を使用し、連通針が穿刺される対象の穿刺体（すなわち、ゴム栓）に予めスリットを入れておき、穿刺を容易ならしめる技術のもとでは、連通針の先端を鋭角としておく必要はない。【００２８】
本発明が提供する連通針においては、その製造方法について特に限定されるものではない。例えば、インジェクション成形，切削加工等により製造するのが一般的であるが大量生産、工業化に適した製造方法として、インジェクション成形が好ましい。また、封止部材については、連通針と一体成型若しくは、別途成型した封止部材を、連通針と加工による固着、若しくは嵌合等の手段で一体化させることができる。好ましくは、連通針と封止部材を一体成型するのがよい。【００２９】
また、本発明の連通針は、輸液バッグ等の本体と溶着することも可能である。そのような輸液バッグ等への溶着は、連通針を備えたポートを介して行なわれる。したがって本発明は、また、連通針を備えたポートに関するものでもある。
バッグ等に溶着されるポートとしては、丸型ポート、菱型ポート、楕円平型ポート等の各種ポート、あるいは各種チューブをあげることができる。これらポートと連通針との一体化は、一体成型もしくは、両者をそれぞれ別途成型し、その後加工により固着若しくは嵌合してもよいが、好ましくは一体成型されるのがよい。【００３０】
一方、本発明の連通針が装着される輸液バッグ等のバッグにあっては、その製造方法は特に限定されるものではない。例えば、Ｔダイ成形，インフレーション成形によるフィルム成形を行い、熱溶着により容器形状に溶着するブロー成形により容器形状とすることも可能である。【００３１】
また、連通針を被覆する封止体の製造方法について特に限定されるものではない。例えば、Ｔダイ成形、インフレーション成形によるフィルム成形、押出し成形によるチューブ成形、インジェクション成形、ブロー成形による成形品、連通針との２成形、インサート成形等により製造するのが一般的である。また、連通針若しくは連通針付きバッグと封止体を一体化する場合の固着方法としては、熱溶着，超音波溶着若しくは嵌合等により行なうことが可能である。
【実施例１】
【００３２】
以下に本発明を、図面に基づく実施例により詳細に説明する。
図１は、本発明の連通針１の基本的な形態に基づく一実施例を模式的に示した説明図である。この連通針１にあっては、その最先端部１０は、たとえば別の容器のゴム栓等に穿刺・挿入が可能となるある程度の鋭角のテーパー面をもった針としての形状・構造を有し、その連通針内部には連通溝１１が形成されている。
また、本実施例においては、連通針１は、通常丸型の針であり、その最先端部１０の鋭角な針状の形状部分より、先端部１２、中間部１６および末端部１７までは、３段階による太さで構成されているが、その形状は、連通針としての機能を発揮する限り自由に変形することができる。【００３３】
本発明の連通針１にあっては、その先端部１２に連通溝１１と連通する開口部である注出口１３が設けられており、その注出口１３を封止する状態で封止部材１４、１５が連通針と一体的に設けられている。かかる封止部材１４、１５は、外力によって容易に連通針から脱離するように構成されており、例えば図中においては封止部材１４、１５は、連通針と一体的に設けられた翼状の形状を有している。なお、この封止部材の形状は、本実施例においては翼状の形状有しているが、このものの形状は、翼上に限定されず、棒状あるいは板状の形態をとることもでき、要は所望の機能を発揮するものから選択することができる。
また、図に示した実施例にあっては、注出口１３は、連通針１の先端部１２において連通針の中心を基準に左右対称の位置に２個備えられているが、注出口１３はひとつであっても、また、２つ以上であっても差し支えない。【００３４】
以上の構成による本発明が提供する連通針１は、混注用輸液バッグ等（図中、図示せず）に備え付けられるものであり、使用の実際にあたっては、連通針１の先端部１２に設けられた封止部材１４、１５を外力により連通針から容易に離脱させることにより注出口１３が開口し、その状態で別の容器におけるゴム栓等に穿刺・挿入され、２つの容器が本発明の連通針により連通され、内容物の混注が行われるのである。【００３５】
なお、注出口１３を封止する封止部材（図中においては翼状の封止部材）は、連通針と一体的に構成されているが、その構成は、連通針１の一部として一体的に構成されていてもよく、また、連通針１と封止部材１４、１５を別々に成型し、熱処理、超音波処理等により接合させる一体化であってもよいことはいうまでもない。【００３６】
この図１に示した実施例１に基づく連通針１を横からみた説明図を図２として示す。図中の符号は図１と同一である。すなわち、本発明の連通針１は、その先端部１２において連通溝１１と連通する開口部となる注出口１３が形成されているのである。【００３７】
図３に、本発明の別の実施例による本発明の連通針を示す。図中の符号は図１と同一である。本実施例においては、連通針１全体は、連通針１に一体的に取り付けられた注出口１３を封止する封止部材１４、１５を含め封止体２０、いわゆるキャップにより、連通針１の最先端部１０から末端部１７までを一体的に被覆されている。ただし、連通針１の中間部１６においては、封止体２０は連通針１との間に空隙部２１を設けられている。この空隙部２１を設けることにより、連通針１は、封止体２０（キャップ）内部での動きがよりスムースに行なえることとなる。【００３８】
かかる実施例に基づく本発明の連通針１は、混注用輸液バッグ等（図中、図示せず）に備え付けられるものであり、使用の実際にあたっては、連通針１に被覆された封止体内２０で連通針１を回転させるか、あるいは封止体２０を連通針１が貫通させる動きをとることにより、封止体２０に一体的に固定されている注出口１３を封止する封止部材１４、１５に外力が加わり、その結果、封止部材１４、１５は連通針１から容易に離脱し、注出口１３が開口する。その状態で別の容器におけるゴム栓等に穿刺・挿入され、２つの容器が本発明の連通針により連通され、内容物の混注が行われる。
そのとき、連通針１から脱離した封止部材１４、１５は、封止体内部に留まることにより、その残片の処理の手間を省くことができる。【００３９】
なお、本実施例においては連通針１を含め被覆した封止体２０、いわゆるキャップは、連通針１の最先端部１０から末端部１７までを被覆するものであるが、その被覆は、少なくとも連通針１の最先端部１０から注出口１３を封止する封止部材１４、１５まで被覆するものであれば十分である。
本実施例においては、連通針１を含め被覆した封止体２０は、ゴムまたは発泡ゴム等の弾性体で構成されているが、封止体の材質は、前記した如く種々の材質により構成することができる。【００４０】
本実施例においては、注出口１３を封止する封止部材１４、１５の連通針１からの脱離を、封止体２０（キャップ）内部における連通針１の回転運動あるいは貫通運動により行なっている例である。例えば、連通針１全体を、連通針１に一体的に取り付けられた注出口１３を封止する封止部材１４、１５を含め、封止体２０により袋状に被覆した本発明の連通針１にあっては、単に連通針１を輸液バッグの混注口（ゴム栓）に穿刺、挿入する一連の動作により封止体２０は、バッグの混注口に当接し、その結果、連通針に一体的に固定されている注出口１３を封止する封止部材１４、１５に外力が加わり、封止部材１４、１５は連通針１から容易に離脱し、注出口１３が開口すると共に輸液バッグの混注口（ゴム栓）に穿刺し、そのまま混注作業が行われる。【００４１】
その他の変形として、例えば、翼状の封止部材１４、１５を挟持する縦溝を供えた被覆部材３０により連通針が当接されており、該被覆部材を回転させることにより封止部材を離脱させることにより行なうことも可能である。この場合にあっては、被覆部材３０は、実施例３における封止体２０（キャップ）と異なり、連通針１のすべてを被覆する必要はなく、開放状態で封止部材１４、１５を挟持する縦溝を有する被覆部材３０であれば、当該被覆部材を回転することにより、封止部材１４、１５を連通針１から脱離させると共に、脱離した封止部材１４、１５の残片は、被覆部材中に残存し、その残片の処理の手間を省くことができる。【００４２】
その変形に基づく実施例を、実施例３として図４に示した。なお、図中の符号は図１と同一である。すなわち、図４中において連通針１を、封止部材１４、１５を挟持する縦溝を有する被覆部材３０は、連通針１と当接すると共に、被覆部材に設けられ縦溝（図中図示せず）中に封止部材１４、１５を挟持すること、さらに連通針の最先端を含んで被覆部材３０が連通針をカバーしない点を除いては実施例２と同様である。なお、被覆体３０は、連通針１全体を被覆するものではなく、中間部までを被覆する点で異なっている【００４３】
また、別の変形に基づく実施例を、実施例４として図５に示した。なお、この場合においても図中の符号は図１と同一である。すなわち、本実施例４においては連通針１を、開口部である注出口１３を封止部材１４で封止しているが、該封止部材１４は連通針を可撓性輸液バッグへ連通した際に、連通針１の穿刺の動きにより穿刺体（すなわち、ゴム栓）で封止部材１４に設けた係止部材１８により外力がかかり、その結果、封止部材１４が脱離し、注出口１３が開口する構成となっている。
なお、この場合において、封止部材１４の連通針１からの脱離にあたって、その脱離をガイドするガイド部材を連通針と一体に設けることも可能であり、さらに、係止部材１５を連通針１と一体化させておくことも可能である。【００４４】
さらにまた、別の変形の基づく実施例５として図６に示した。図６にあっても図中の符号は図１と同一である。本実施例５は、上記の実施例４においても、開口部である注出口１３を封止部材１４で封止しているが、連通針１の穿刺の動きにより穿刺体（すなわち、ゴム栓）で封止部材１４に外力がかかり、連通針１からの脱離に伴って生じる封止部材１４を連通針１と繋止部材１９で接続させ、脱離した封止部材１４をゴミとならないよう構成したものである。【００４５】
一方、本発明は、以上の構成に基づく連通針を備えた、可撓性バッグに溶着されるポートでもある。かかる連通針を備えるポートとしては、医療用バッグに使用される各種ポートが使用され、そのようなポートしては、丸型ポート、菱型ポートまたは楕円平型ポートが挙げられる。【００４６】
図７に、本発明の実施例２に基づく連通針を備えた菱型ポートの一例を図示した。
すなわち、本発明が提供するポート１００は、本発明の連通針１を備え連通針の下部において医療用バッグ本体に溶着されるポート（図中では菱型ポート）に溶着される溶着部３５を備えたポートである。
かかるポートは、医療用バッグを製造する工程において、バッグ本体と一体的に溶着されるものである。
なお、参考までに図８に図７に示したポート１００を横から見た説明図を示した。図中の符号はこれまでの符号と同一の意味を有する。【００４７】
また、図９に、ポートを溶着した一液タイプの医療用バッグ４０において、連通針１の最先端部１０から末端部１７までを一体的に被覆する封止体２０、すなわち、いわゆるキャップの変形例として、蛇腹タイプのキャップ２０による例を示した。なお、この場合のキャップ２０は、例えば、プラスチック材料で構成されており、キャップ２０の上面２５は、連通針の穿刺の動きにより容易に穿刺し得る程度の厚みを有していればよい。
【産業上の利用可能性】
【００４８】
以上説明したように、本発明が提供する２以上の容器を連通させるために使用する連通針は、その先端部に薬液等の注出口を開口させると共に、当該注出口を予め封止する封止部材を連通針と一体的に設けており、当該封止部材を外力により容易に連通針から脱離させてやれば、それにより連通針に薬液の注出口が容易に開口され、複数の容器内に収納される薬剤を、例えば基本液等により容易に溶解させることができる。【００４９】
また、注入口を封止する封止部材と共に封止体で被覆させ、封止体内で連通針を回転あるいは封止体を含め混注すべき容器の混注口（ゴム栓）に穿刺、貫通させる動きによる外力で、容易に注入口を封止する封止部材が脱離し、脱離した封止部材はゴム封止体内に残留する。したがって、容器内に異物としての破片が混入することがなく、きわめて安全に２容器の薬剤、薬液当を混注することができる。
【図面の簡単な説明】
【００５０】
【図１】本発明の連通針の実施例１を示す模式的説明図である。
【図２】本発明の実施例１の連通針を横から見た説明図である。
【図３】本発明の連通針の実施例２を示す模式的説明図である。
【図４】本発明の連通針の実施例３を示す模式的説明図である。
【図５】本発明の連通針の実施例４を示す模式的説明図である。
【図６】本発明の連通針の実施例５を示す模式的説明図である。
【図７】本発明の実施例２の連通針を備えた菱形ポートを示す説明図である。
【図８】本発明の連通針を備えた菱形ポートを横から見た説明図である。
【図９】本発明のポートを備え、連通針を封止するキャップとして蛇腹タイプのカップを設けた一液タイプの医療用バッグの一部欠損した説明図である。
【符号の説明】
【００５１】
１      連通針
１０    最先端部
１１    連通溝
１２    先端部
１３    注出口
１４    封止部材
１５    封止部材
１８    係止部材
１９    繋止部材
２０    封止体（キャップ）
２１    空隙部
３０    被覆部材
３５    溶着部
４０    医療用バッグ
１００  ポート
【図１】
0004930772.tif 000002
【図２】
0004930772.tif 000003
【図３】
0004930772.tif 000004
【図４】
0004930772.tif 000005
【図５】
0004930772.tif 000006
【図６】
0004930772.tif 000007
【図７】
0004930772.tif 000008
【図８】
0004930772.tif 000009
【図９】
0004930772.tif 000010